(57)【要約】【課題】  連続繊維の糸を糸の供給装置に格納された糸巻から繰り出し、この繰り出された糸を高圧水または圧縮空気を利用してエジェクタの噴射ノズルから噴射し、一方、砂を前記繊維の噴射先まで搬送し、前記糸と直接噴射・混合させる連続繊維による補強土工法において、糸の供給装置とエジェクタの間が長い距離でも糸のからまりを防止し、また、風等の影響で施工に支障をきたさないようにするのに、確実かつ効率良く行うことができ、しかも、糸の量の管理も同時に行うことが可能なものである。【解決手段】  糸の供給装置３と噴射ノズル５との間に糸４を挟みまたは巻回して強制的に送り出すフィードローラ３２を設けた。【選択図】        図１
2005256383.tif 000002
【特許請求の範囲】
【請求項１】
連続繊維の糸を糸の供給装置に格納された糸巻から繰り出し、この繰り出された糸を高圧水または圧縮空気を利用してエジェクターの噴射ノズルから噴射し、一方、砂を前記繊維の噴射先まで搬送し、前記糸と直接噴射・混合させる連続繊維補強土工法において、糸の供給装置と噴射ノズルとの間に糸を挟みまたは巻回して強制的に送り出すフィードローラを設けたことを特徴とする連続繊維補強土工法。
【請求項２】
フィードローラは複数の糸を巻回すキャプスタンであり、その周辺に複数個が連接するノントルクローラーを配設した請求項１記載の連続繊維補強土工法。
【請求項３】
フィードローラから出る糸には、糸の張力を検知して、糸の張力がなくなった場合に運転を停止する安全スイッチを沿設する請求項１または請求項２記載の連続繊維補強土工法。
【発明の詳細な説明】
【技術分野】
【０００１】
本発明は、法面保護、擁壁築造、及び緑化工法に適用可能なものとして、連続した複数本の繊維と砂とを補強するべき施工個所に吹付ける連続繊維補強土工法に関するものである。
【背景技術】
【０００２】
連続繊維による補強土工法を図１４について説明する。連続繊維の糸の糸巻１を格納し、この糸巻１からの糸４を送り出すガイドステー２を有する糸の供給装置３と、この糸の供給装置３から繰り出される糸４を水タンク７から高圧ポンプ８を介して供給管９で送られる高圧水を利用して噴射ノズル５から噴射するエジェクター６とからなる繊維配設装置と、ベルトコンベア１０とマテリアルホース１１を有する吹付機１２とからなる砂の供給装置を組み合わせる。図中１３は吹付機１２に圧縮空気を供給するコンプレッサー、１４は高圧ポンプ８等の電源となる発電機、１５は砂の計量器、１６は可撓性の供給管９の電動式ホースリール、１７は分電盤である。
【０００３】
エジェクター６では噴射ノズル５に糸４が挿通され、この噴射ノズル５から圧水が吐出されるとそれにつられて糸４も噴射ノズル５から噴射される。一方、砂はベルトコンベア１０とマテリアルホース１１により前記糸４の噴出先まで搬送し、糸４と直接噴射・混合させる。
【０００４】
このように使用する砂の０．１５〜０．２％（乾燥重量比）程度の連続繊維（マルチフィラメント無撚糸）をジェット水と一緒に噴射、砂と三次元的に混合することで、せん断強さを増加させ、より安定した強固な土構造物を構築することができる。
【０００５】
道路の擁壁や盛土のほか、法面の保護、軟弱地盤上の盛土基礎、さらに耐震および防震基礎、衝撃に対する構造物の保護、ダムのフィルター層などに幅広く適用可能である。
【０００６】
前記図１４に示す連続繊維による補強土工法では、糸の供給装置３のガイドステー２とエジェクター６の間の糸４は風の影響を受け易く、糸４同士がからまることを考慮して１５ｍ以上離れては施工できない。また、５０ｍ以上離れては糸の供給不足となり、施工能率低下となってしまう。その結果、常にエジェクター６の近くに糸の供給装置３を配置しなければならず、機動性が損なわれる。
【０００７】
これに対して出願人は先に下記の特許出願を行った。
【０００８】
【特許文献１】特願２０００−２７２８５５号（特開２００２−８１０７２号公報）
【０００９】
この出願は、図１３に示すように、連続繊維の糸４を糸の供給装置３に格納された糸巻１から繰り出し、この繰り出された糸４を高圧水または圧縮空気を利用してエジェクター６の噴射ノズル５から噴射し、一方、砂を前記繊維の噴射先まで搬送し、前記糸４と直接噴射・混合させる連続繊維による補強土工法において（前記図８参照）、糸の供給装置３と噴射ノズル５との間に糸４が挿通するガイドリング２３を設けた支柱２４を適宜間隔に配置し、このガイドリング２３で糸の供給装置３と噴射ノズル５間の糸４を誘導すること、および、糸の供給装置３と噴射ノズル５との間に糸４が挿通するガイドリングを設けた鋼線を張設し、該鋼線に添わせてガイドリングで糸の供給装置３と噴射ノズル５間の糸４を誘導することを内容とするものである。
【００１０】
糸の供給装置３は複数の糸巻１からの糸４を絡ませて送り出す１本のガイドステー２を有するものを１台単位の糸の供給装置３とし、この分割された糸の供給装置３の複数台を同じ台車１８に載置することとした。また、前記ガイドステー２はテレスコピック式に多段に伸縮自在なものとし、その旋回可能な根本部は蛇腹式の伸縮カバー１９で覆い、砂等が入らないようにする。さらに、この台車１８には糸４の糸巻１での残量を計測するために、ロードセル２０を設けた。
【００１１】
一方、エジェクター６は１本のヘッダー２１に複数の噴射ノズル５を設け、高圧水の供給管９の延設部分は二股２２に分割した部分をもって接続するものとした。また、糸の供給装置３のガイドステー２と前記エジェクター６との間に、糸４が挿通するガイドリング２３を複数並列させて設けた支柱２４を１または複数配置した。
【００１２】
これにより、糸の供給装置３とエジェクター６間が長い距離でも糸４のからまりを防止し、また、風等の影響で施工に支障をきたさないようにすることができる。
【発明の開示】
【発明が解決しようとする課題】
【００１３】
前記特許文献１の連続繊維による補強土工法によれば、糸が張っている状態を維持するのにガイドリングを設けた支柱を適宜間隔に配置するが、この間隔が広いとやはり糸が弛んでしまい、また、狭い間隔では支柱の存在自体が邪魔になる。さらに、糸が挿通するガイドリングを設けた鋼線を張設し、該鋼線に添わせて糸を誘導するのでは、この鋼線の存在も邪魔なものとなる。
【００１４】
本発明の目的は前記従来例の不都合を解消し、連続繊維の糸を糸の供給装置に格納された糸巻から繰り出し、この繰り出された糸を高圧水または圧縮空気を利用してエジェクターの噴射ノズルから噴射し、一方、砂を前記繊維の噴射先まで搬送し、前記糸と直接噴射・混合させる連続繊維補強土工法において、糸の供給装置とエジェクター間が長い距離でも糸のからまりを防止し、また、風等の影響で施工に支障をきたさないようにするのに、確実かつ効率良く行うことができる連続繊維補強土工法を提供することにある。
【課題を解決するための手段】
【００１５】
請求項１記載の本発明は前記目的を達成するため、連続繊維の糸を糸の供給装置に格納された糸巻から繰り出し、この繰り出された糸を高圧水または圧縮空気を利用してエジェクターの噴射ノズルから噴射し、一方、砂を前記繊維の噴射先まで搬送し、前記糸と直接噴射・混合させる連続繊維補強土工法において、糸の供給装置と噴射ノズルとの間に糸を挟みまたは巻回して強制的に送り出すフィードローラを設けたことを要旨とするものである。
【００１６】
請求項１記載の本発明によれば、糸の供給装置から繰り出される糸はフィードローラで引き出され、かつ送られるので緊張した弛みのない状態を保ち、長い距離を送れるとともに、糸のからまりが防止でき、また、風等の影響で施工に支障をきたすようなこともない。
【００１７】
請求項２記載の本発明は、フィードローラは複数の糸を巻回すキャプスタンであり、その周辺に複数個が連接するノントルクローラを配設したことを要旨とするものである。
【００１８】
請求項２記載の本発明によれば、複数台の糸を纏めて１台のフィードローラ（キャプスタン）で送り出すことができ、装置としてもコンパクトになるとともに、１本のヘッダーに複数の噴射ノズルを設けるエジェクターに対してもスムーズな糸の送りとなる。ノントルクローラは糸にテンションを掛けずにフィードローラ（キャプスタン）へ、または、からのスムーズなガイドを行うことができる。
【００１９】
請求項３記載の本発明は、フィードローラから出る糸には、糸の張力を検知して、糸の張力がなくなった場合に運転を停止する安全スイッチを沿設することを要旨とするものである。
【００２０】
請求項３記載の本発明によれば、フィードローラから出てエジェクターに至る糸が切断したりする場合は、これを安全スイッチが検知して即フィードローラの運転を停止することができる。その結果、糸の絡み等を防止できる。
【発明の効果】
【００２１】
以上述べたように本発明の連続繊維による補強土工法は、連続繊維の糸を糸の供給装置に格納された糸巻から繰り出し、この繰り出された糸を高圧水または圧縮空気を利用してエジェクターの噴射ノズルから噴射し、一方、砂を前記繊維の噴射先まで搬送し、前記糸と直接噴射・混合させる連続繊維補強土工法において、糸の供給装置とエジェクター間が長い距離でも糸のからまりを防止し、また、風等の影響で施工に支障をきたさないようにするのに、確実かつ効率良く行うことができるものである。
【発明を実施するための最良の形態】
【００２２】
以下、本発明の実施形態を詳細に説明する。図１は本発明の連続繊維補強土工法の１実施形態を示す説明図で、繊維配設装置のみを示すが、装置全体としては前記図５において説明した通りで、ベルトコンベアとマテリアルホースにより糸の噴出先まで砂を搬送する砂の供給装置も当然併用される。
【００２３】
繊維配設装置は、連続繊維の糸４の糸巻１を格納する糸の供給装置３と、この糸の供給装置３から繰り出される糸４を高圧水を利用して噴射ノズル５から噴射するエジェクター６とからなる点は前記従来例と同じであり、この糸の供給装置３から繰り出される糸４を水タンク７から高圧ポンプ８を介して供給管９で送られる高圧水を利用して噴射ノズル５から噴射する。
【００２４】
砂の供給装置２５は、従来周知のように、ベルトコンベア１０でホッパー２６に連携させた計量器１５と、該計量器１５にベルトコンベア１０を介して連結する吹付機１２とで構成される。図中２７は砂山から砂を搬送するトラクターショベル、１３は吹付機１２に圧縮空気を供給するコンプレッサーを示す。また、１４は計量器１５などの電源となる発電機を示す。
【００２５】
糸の供給装置３は、図示は省略するが、複数（例えば４個）の糸巻（ボビン）からの糸４をテンサー、ドックテールガイド等を経て繰り出すものであり、高圧水を利用して噴射ノズル５から噴射するエジェクター６へと糸４を供給する。
【００２６】
なお、糸の供給装置３と噴射ノズル５との間に糸４が挿通するガイドリングを設けた支柱２４を適宜間隔に配置し、このガイドリングで糸の供給装置３と噴射ノズル５間の糸４を誘導するようにしてもよい。
【００２７】
また、糸の供給装置３と噴射ノズル５との間に糸４が挿通するガイドリングを設けた鋼線を張設し、該鋼線に添わせてガイドリングで糸の供給装置３と噴射ノズル５間の糸４を誘導することもできる。
【００２８】
本発明は、前記連続繊維の糸４の糸巻１を格納する糸の供給装置３と糸４を高圧水を利用して噴射ノズル５から噴射するエジェクター６との間に、糸４を相互間で挟むことまたは巻回すことで強制的に送り出すフィードローラ（キャプスタン）３２を設けた。
【００２９】
図２〜図５にこのフィードローラ３２の一例を示すが、電動機を内蔵したボックス３４の外側にフィードローラ（キャプスタン）３２を設け、その周囲にノントルクローラ３５を適宜数配置して、糸４をフィードローラ（キャプスタン）３２に巻回すようにした。
【００３０】
図示の例ではノントルクローラ３５は糸４の数に合わせて４連のものとし、また、３個を糸４のフィードローラ（キャプスタン）３２への挿入側、フィードローラ（キャプスタン）３２からの繰り出し側、さらに、その延長側へと設ける。
【００３１】
フィードローラ（キャプスタン）３２にはリミットスイッチによるストッパー用検知板３６を付設して、停止したらすぐ検知できるようにした。
【００３２】
図中３７はタイマー、３８は漏電ブレーカー、３９は可変抵抗器による回転速度調整摘み、４０は運転スイッチ、４１ａ，４１ｂ，４１ｃはレセプタクルである。
【００３３】
また、ボックス３４の上面には提手４２を取り付け、下面にはエンプラレベリングパッドによる脚体４３を設けた。
【００３４】
このようにして、糸の供給装置３では糸巻から繰りされた連続繊維（無撚糸）としての４本の糸４がフィードローラ（キャプスタン）３２により送られて、エジェクター６では噴射ノズル５に挿通される。
【００３５】
糸４はエジェクター６で引かれ、糸の供給装置３から順次繰り出されるものであるが、フィードローラ（キャプスタン）３２の送り込みがこれに加わることになる。
【００３６】
そして、エジェクター６では水タンク７から高圧ポンプ８を介して供給管９で送られる高圧水が噴射ノズル５から噴射されると前記糸４も吐出され、砂と直接噴射・混合される。
【００３７】
なお、図６、図７に示すように前記フィードローラ（キャプスタン）３２は台４４の上に設置し、同じ台４４上に糸の張力を検知して、糸の張力がなくなった場合に運転を停止する安全ストッパー４５を設ける。  
【００３８】
該安全ストッパー４５はリレーと組み合わせるリミットスイッチを用い、作動用の押しスイッチ４６を有する。
【００３９】
糸４はフィードローラ（キャプスタン）３２から繰り出されてエジェクター６方向に張られ、その状態で安全ストッパー４５が糸４に接触して張力を検知している。
【００４０】
そして、繰り出し状態が悪く糸４にたるみが出た場合や糸４が切断した場合には張力が無くなるので、安全ストッパー４５がこれを検知し、リレーを介してフィードローラ（キャプスタン）３２の回転を停止する。
【００４１】
図９は本発明の他の実施形態を示すもので、糸の供給装置の構成として、複数（図示の例では４個）の糸巻１からの糸４を絡ませて送り出す１本のガイドステー２を有する可搬式のボビンケース２９を１台単位とし、これを複数台（図示の例では４台）単独で配設した。
【００４２】
このボビンケース２９は、ベース３０に支持枠３１を組み合わせるもので、支持枠３１は、上部を円弧状に湾曲させた４本の枠体の下部を前記ベース３０の４隅から立ち上げてケース全体を鳥籠状に形成し、カバーで覆う。
【００４３】
前記第１実施形態と同じく、連続繊維の糸４の糸巻１を格納する糸の供給装置３と糸４を高圧水を利用して噴射ノズル５から噴射するエジェクター６との間に、糸４を相互間で挟むことで強制的に送り出すフィードローラ（キャプスタン）３２を設けた。なお、このフィードローラ（キャプスタン）３２は前記第１実施形態のように糸４を巻回して送るものでもよい。  
【００４４】
図９〜図１１の例では、各糸の供給装置３に対してそれぞれフィードローラ（キャプスタン）３２を設け、また、図１０の例ではさらに複数のフィードローラ（キャプスタン）３２を１台のフィードローラ（キャプスタン）３２に設ける場合もあることを示したが、前記第１実施形態と同じく図１２に示すように複数台の糸の供給装置３に対して１台のフィードローラ（キャプスタン）３２を共用するように設けることもできる。図中１７は分電盤を示す。
【００４５】
また、糸の供給装置３としては、前記特願２０００−２７２８５５号（特開２００２−８１０７２号公報）にあるような、複数の糸巻１からの糸４を絡ませて送り出す１本のガイドステー２を有するものを１台単位の糸の供給装置３とし、この分割された糸の供給装置３の複数台を同じ台車１８に載置するようなものでもよい。
【図面の簡単な説明】
【００４６】
【図１】本発明の連続繊維補強土工法の第１実施形態を示す説明図である。
【図２】フィードローラ（キャプスタン）の正面図である。
【図３】フィードローラ（キャプスタン）の平面図である。
【図４】フィードローラ（キャプスタン）の左側面図である。
【図５】フィードローラ（キャプスタン）の右側面図である。
【図６】フィードローラ（キャプスタン）設置台の平面図である。
【図７】フィードローラ（キャプスタン）設置台の側面図である。
【図８】安全スイッチの側面図である。
【図９】本発明の連続繊維補強土工法の第２実施形態を示す説明図である。
【図１０】本発明の連続繊維補強土工法の第３実施形態を示す説明図である。
【図１１】本発明の連続繊維補強土工法の第２実施形態の全体を示す説明図である。
【図１２】本発明の連続繊維補強土工法の第４実施形態を示す説明図である。
【図１３】従来例を示す斜視図である。
【図１４】連続繊維補強土工法の概要を示す説明図である。
【符号の説明】
【００４７】
１…糸巻                          ２…ガイドステー
３…糸の供給装置                  ４…糸
５…噴射ノズル                    ６…エジェクター
７…水タンク                      ８…高圧ポンプ
９…供給管                        １０…ベルトコンベア
１１…マテリアルホース            １２…吹付機
１３…コンプレッサー              １４…発電機
１５…計量器                      １６…電動式ホールリール
１７…分電盤                      １８…台車
１９…伸縮カバー                  ２０…ロードセル
２１…ヘッダー                    ２２…二股
２３…ガイドリング                ２４…支柱
２５…砂の供給装置                ２６…ホッパー
２７…トラクターショベル          ２８…砂山
２９…ボビンケース                ３０…ベース
３１…支持枠                      ３２…フィードローラ
３３…計量装置                    ３４…ボックス
３５…ノントルクローラ            ３６…ストッパー用検知板
３７…タイマー                    ３８…漏電ブレーカー
３９…回転速度調整摘み            ４０…運転スイッチ
４１ａ，４１ｂ，４１ｃ…レセプタクル
４２…提手                        ４３…脚体
４４…台                          ４５…安全ストッパー
４６…押しスイッチ
【図１】
2005256383.tif 000003
【図２】
2005256383.tif 000004
【図３】
2005256383.tif 000005
【図４】
2005256383.tif 000006
【図５】
2005256383.tif 000007
【図６】
2005256383.tif 000008
【図７】
2005256383.tif 000009
【図８】
2005256383.tif 000010
【図９】
2005256383.tif 000011
【図１０】
2005256383.tif 000012
【図１１】
2005256383.tif 000013
【図１２】
2005256383.tif 000014
【図１３】
2005256383.tif 000015
【図１４】
2005256383.tif 000016